(57)【要約】クランプ構造は、個々のストランドの複数の旋回の中で互いの回りに巻かれている複数のストランド（２２Ａ，２２Ｂ，２２Ｃ，２２Ｄ，２２Ｅ，２２Ｆ）を有している細長い部材（２０）を備える。クランプ構造はさらに、細長い部材を締め付ける為のクランプ部材（１０）を備えているクランプ装置（１８）を含む。クランプ部材は、細長い部材と係合する為の係合手段（１４）を有する。係合手段は、細長い部材を形成しているストランドの全部の数の半分又はそれ以上と係合するよう構成されている。クランプ装置はさらに固定された反作用部材（３２）及びクランプ部材を反作用部材に向かい付勢するウ性手段（３６）を含む。細長い部材（２０）がクランプ部材（１０）と反作用部材（３２）との間に受け入れられた時、反作用部材は細長い部材（２０）に対し反作用を提供して細長い部材をクランプ装置（１８）中に締め付ける。【選択図】    図３
2013537289.tif 000002
【特許請求の範囲】
【請求項１】
個々のストランドの複数の旋回が互いの回りに巻かれている複数のストランドを有している細長い部材と、前記細長い部材を締め付ける為のクランプ部材を備えているとともにさらに反作用部材を含んでいるクランプ装置と、そして、前記クランプ部材を前記反作用部材に向かい付勢する付勢手段と、を備えており、前記クランプ部材が前記細長い部材と係合する為の係合手段を有していて、前記係合手段が前記細長い部材を形成している前記ストランドの全部の数の半分又はそれ以上と係合するよう構成されており、そして、ここにおいては、前記細長い部材が前記クランプ部材と前記反作用部材との間に受け入れられた時に、前記反作用部材が、前記クランプ装置中に前記細長い部材を締め付けるよう前記細長い部材に対し反作用を提供する、クランプ構造。
【請求項２】
個々のストランドが互いに実質的に同じピッチを有していて、そして、個々のストランドが螺旋の形状である、請求項１に従っているクランプ構造。
【請求項３】
前記クランプ部材が本体を有していて、そして、前記係合手段が前記本体の上に設けられている、請求項１又は２に従っているクランプ構造。
【請求項４】
前記係合手段が、前記細長い部材を形成しているストランドの全部の数の２／３又はそれ以上と係合するよう構成されている、請求項１乃至３の何れか１項に従っているクランプ構造。
【請求項５】
前記係合手段が、前記細長い部材を形成しているストランドの全部の数の少なくとも３／４と係合するよう構成されている、請求項１乃至４の何れか１項に従っているクランプ構造。
【請求項６】
前記係合手段が、前記細長い部材のストランドの全部と係合するよう構成されている、請求項１乃至５の何れか１項に従っているクランプ構造。
【請求項７】
前記係合手段が、前記細長い部材中の前記ストランドのピッチの５０％又はそれ以上と実質的に等しい長さを有していて、前記係合手段が、前記係合手段が前記細長い部材に沿い長手方向に延出するよう、前記細長い部材と係合するよう構成されている、請求項１乃至６の何れか１項に従っているクランプ構造。
【請求項８】
前記係合手段の前記長さが、前記ストランドの前記ピッチの６７％又はそれ以上と実質的に等しい、請求項８に従っているクランプ構造。
【請求項９】
前記係合手段の前記長さが、前記ストランドの前記ピッチの７５％又はそれ以上と実質的に等しい、請求項８又は９に従っているクランプ構造。
【請求項１０】
前記係合手段の前記長さが、前記ストランドの前記ピッチの１００％又はそれ以上と実質的に等しい、請求項１乃至９の何れか１項に従っているクランプ構造。
【請求項１１】
前記細長い部材が前記クランプ部材と前記反作用部材との間に締め付けられた時に、前記細長い部材の個々のストランドが前記クランプ部材及び前記反作用部材の一方又は両方により係合されている、請求項１乃至１０の何れか１項に従っているクランプ構造。
【請求項１２】
前記クランプ部材が細長く、前領域及び後領域を備えていて、前記クランプ部材が前記細長い部材との係合に付勢された時に前記前領域が前記後領域を導き、そして、前記前領域が前記後領域よりも薄い、請求項１乃至１１の何れか１項に従っているクランプ構造。
【請求項１３】
前記クランプ部材が、前記細長い部材に最初に係合するよう前記後領域に予備的な係合突起を含む、請求項１２に従っているクランプ構造。
【請求項１４】
前記クランプ部材の前記前領域が、前記細長い部材との前記係合手段の係合を容易にするよう凸状に湾曲されていて、前記湾曲が前記前領域から前記係合手段まで延出している、請求項１２又は１３に従っているクランプ構造。
【請求項１５】
前記前領域の前記湾曲が、前記クランプ部材の長さの略１／４と略１／３との間で延出している、請求項１４に従っているクランプ構造。
【請求項１６】
前記予備的な係合突起が、前記係合手段上の歯を備えている、請求項１２，１３，又は１４に従っているクランプ構造。
【請求項１７】
前記クランプ部材が複数の前記予備的な係合突起を備えていて、個々の予備的な係合突起が個々の歯を備えている、請求項１２乃至１５の何れか１項に従っているクランプ構造。
【請求項１８】
前記係合手段が、前記クランプ部材の長さの略３／５と略３／４との間である係合長さを有している、請求項１乃至１７の何れか１項に従っているクランプ構造。
【請求項１９】
前記クランプ部材がクランプ位置と解放位置との間で移動可能であり、前記係合手段は前記クランプ部材が前記クランプ位置にある時に前記細長い部材と噛み合うよう構成されていて、そして、前記反作用部材は前記クランプ部材が前記解放位置にある時にそれに対する前記細長い部材の位置の調整を許容するよう構成されている、請求項１乃至１８の何れか１項に従っているクランプ構造。
【請求項２０】
前記反作用部材が前記細長い部材と係合する為の反作用表面を有していて、前記反作用表面は前記クランプ部材の前記係合手段よりも滑らかであって、それにより、前記クランプ部材が前記解放位置にある時に前記細長い部材の前述した調整を許容する、請求項１９に従っているクランプ構造。
【請求項２１】
前記係合手段が複数の噛み合い形状を有している、請求項１乃至２０の何れか１項に従っているクランプ構造。
【請求項２２】
前記噛み合い形状が、鋸刃状切り込みを備えていて、個々の鋸刃状切り込みが前記係合手段を横切って延出している、請求項２１に従っているクランプ構造。
【請求項２３】
前記係合手段が係合表面を備えている、請求項１乃至２２の何れか１項に従っているクランプ構造。
【請求項２４】
前記クランプ部材が楔の形状をしている、請求項１乃至２３の何れか１項に従っているクランプ構造。
【請求項２５】
前記クランプ装置が、前記細長い部材を受け入れる為の通路を規定しているハウジングを備えており、前記クランプ部材が前記ハウジング中に配置されている、請求項１乃至２４の何れか１項に従っているクランプ構造。
【請求項２６】
前記反作用部材が、前記クランプ部材が前記細長い部材を締め付ける為に前記通路に向かい付勢された時に、前記通路中に受け入れられている前記細長い部材に対し反作用を提供するよう前記ハウジングに対し固定されている、請求項２５に従っているクランプ構造。
【請求項２７】
前記通路が、互いに対向して配置されているとともに互いに向かい角度が付けられている、前記反作用部材及び反作用要素により規定されている、請求項２５又は２６に従っているクランプ構造。
【請求項２８】
前記反作用部材及び前記反作用要素が夫々壁を備えている、請求項２７に従っているクランプ構造。
【請求項２９】
個々の前記壁が前記ハウジングの部位である、請求項２７又は２８に従っているクランプ構造。
【請求項３０】
前記クランプ装置が、夫々の中に前記細長い部材の夫々の領域が受け入れられることが出来る１対の通路を規定している、請求項２５乃至２９の何れか１項に従っているクランプ構造。
【請求項３１】
２つの細長い部材を備えていて、前記クランプ装置が、夫々の中に前記細長い部材の夫々の１つを受け入れることが出来る１対の通路を規定している、請求項２５乃至２９の何れか１項に従っているクランプ構造。
【請求項３２】
前記クランプ装置が、夫々が前記通路の夫々の１つに対応されている１対のクランプ部材を備えており、そして、前記クランプ装置がさらに１対の付勢手段を含んでいて、前記付勢手段の夫々が、前記クランプ部材の夫々の１つをそれが対応されている前記通路に向かい付勢するよう配置されている、請求項２５乃至３１の何れか１項に従っているクランプ構造。
【請求項３３】
前記クランプ装置が両方の通路に対応している単一の反作用部材を備えていて、前記反作用部材が２つの表面を有していて、そして、個々の表面が個々の通路内における夫々の細長い部材に対し反作用を提供している、請求項２５乃至３２の何れか１項に従っているクランプ構造。
【請求項３４】
前記クランプ装置が、夫々が前記通路の夫々の１つに対応している２つの反作用部材を備えている、請求項２５乃至３２の何れか１項に従っているクランプ構造。
【発明の詳細な説明】
【技術分野】
【０００１】
この発明は、クランプ装置中での使用の為のクランプ部材に関係している。この発明はまた、クランプ装置に関係している。
【背景技術】
【０００２】
クランプ装置中におけるクランプ部材の使用は、知られている。このようなクランプ装置の一例は、英国特許明細書番号２２４０５８１中に記載されている。
【発明の概要】
【０００３】
この発明の一つの概念に従えば、細長い部材をクランプ装置に対し締め付ける為のクランプ部材が設けられていて、前記細長い部材は個々のストランド（strand）の複数の旋回（turn）が互いの回りに巻かれている複数のストランドを備えており、ここにおいては個々のストランドは互いのストランドと実質的に同じピッチを有していて、そして、前記クランプ部材が前記細長い部材と係合する為の係合手段を有し、前記係合手段が前記細長い部材を形成している前記ストランドの全部の数の半分又はそれ以上と係合するよう構成されている。
【０００４】
この発明の一つの概念に従えば、個々のストランドの複数の旋回（turn）が互いの回りに巻かれている複数のストランドを有している細長い部材と、前記細長い部材を締め付ける為のクランプ部材を備えているとともにさらに反作用部材を含んでいるクランプ装置と、そして、前記クランプ部材を前記反作用部材に向かい付勢する付勢手段と、を備えているクランプ構造が設けられていて、前記クランプ部材が前記細長い部材と係合する為の係合手段を有していて、前記係合手段が前記細長い部材を形成している前記ストランドの全部の数の半分又はそれ以上と係合するよう構成されており、そして、ここにおいては、前記細長い部材が前記クランプ部材と前記反作用部材との間に受け入れられた時に、前記反作用部材が、前記クランプ装置中に前記細長い部材を締め付けるよう前記細長い部材に対し反作用を提供する。
【０００５】
ここに記載されている実施形態においては、前記反作用部材及び前記細長い部材中の前記ストランドの全部の数の半分又はそれ以上の上に延出している前記クランプ部材が、前記細長い部材が前記クランプ部材と前記反作用部材との間に強固に締め付けられるという利点を提供し、そして前記クランプ部材により前記細長い部材が切断される危険が最小にされる。前記反作用部材は、固定されている反作用部材であって良い。
【０００６】
前記細長い部材が前記クランプ部材と前記反作用部材との間に締め付けられた時に、前記細長い部材の個々のストランドが前記クランプ部材及び前記反作用部材の一方又は両方により係合されている。
【０００７】
個々のストランドは、螺旋の形状であって良い。前記細長い部材は、ワイヤー（wire），ケーブル（cable），ロープ（rope），又はそれらと同様な物であって良い。
【０００８】
前記クランプ部材は本体を有して良い。前記係合手段が前記本体の上に設けられていて良い。
【０００９】
一つの実施形態においては、前記細長い部材が６つのストランドを有している場合、前記係合手段は前記ストランドの３つ又はそれ以上と係合して良い。
【００１０】
望ましくは、前記係合手段が、前記細長い部材を形成している前記ストランドの全部の数の２／３又はそれ以上と係合するよう構成されていて良い。一つの実施形態においては、前記細長い部材が６つのストランドを有している場合、前記係合手段は前記ストランドの４つ又はそれ以上と係合して良い。
【００１１】
望ましくは、前記係合手段が、前記細長い部材を形成している前記ストランドの全部の数の少なくとも３／４と係合するよう構成されていて良い。一つの実施形態においては、前記細長い部材が８つのストランドを有している場合、前記係合手段は前記ストランドの６つ又はそれ以上と係合して良い。
【００１２】
より望ましくは、前記係合手段が、前記細長い部材の前記ストランドの全部と係合するよう構成されていて良い。一つの実施形態においては、前記細長い部材が６つのストランドを有している場合、前記係合手段は前記６つのストランドの全てと係合して良い。
【００１３】
前記係合手段が、前記細長い部材中の前記ストランドのピッチの５０％又はそれ以上と実質的に等しくて良い寸法を有していて良い。前記係合手段は、前記係合手段の前述した寸法が前記細長い部材に沿い延出するよう、前記細長い部材と係合するよう構成されていて良い。前記寸法は、前記係合手段の長さで良い。
【００１４】
ここで使用された時、用語「ピッチ（pitch）」は、前記細長い部材の主長手方向中心線に沿い測定されたストランドの１つの完全な旋回（turn）の長さを意味している。
【００１５】
前記係合手段の前述した寸法が、前記ストランドの前記ピッチの６７％又はそれ以上と実質的に等しいことが望ましい。前記係合手段の前述した寸法が、前記ストランドの前記ピッチの７５％又はそれ以上と実質的に等しいことが望ましい。前記係合手段の前述した寸法が、前記ストランドの前記ピッチの１００％又はそれ以上と実質的に等しいことが望ましい。
【００１６】
前記クランプ部材が、前記細長い部材に最初に係合するよう予備的な係合突起を備えて良い。前記予備的な係合突起が、前記係合手段上に歯を備えて良い。前記クランプ部材が、３つの予備的な係合突起の如き、複数の前述された予備的な係合突起を備えていて良い。個々の予備的な係合突起は、個々の歯を備えていて良い。
【００１７】
前記係合手段が、複数の噛み合い形状を有して良い係合表面を備えて良い。前記噛み合い形状が鋸刃状切り込みを備えていて良く、ここにおいては個々の鋸刃状切り込みが前記係合表面を横切って延出している。
【００１８】
前記クランプ部材が細長く、長さを有しているとともに前領域及び後領域を備えていて、前記クランプ部材が前記細長い部材との係合に付勢された時に前記前領域が前記後領域を導き、そして、前記前領域が前記後領域よりも薄くて良い。前記クランプ部材が楔の形状をしていて良い。前記係合手段が、前記クランプ部材の長さの略３／５と略３／４との間である係合長さを有していて良い。
【００１９】
前記クランプ部材の前記前領域が、前記細長い部材との前記係合手段の係合を容易にするよう凸状に湾曲されていて良い。前記湾曲は、前記前領域から前記係合手段まで延出していて良い。前記前領域の前記湾曲は、前記クランプ部材の長さの略１／４と略１／３との間で延出していて良い。
【００２０】
前記クランプ部材が、クランプ位置と解放位置との間で移動可能であって良い。前記係合手段は、前記クランプ部材が前記クランプ位置にある時に、前記細長い部材と噛み合うよう構成されていて良い。前記反作用部材は、前記クランプ部材が前記解放位置にある時に、それに対する前記細長い部材の位置の調整を許容するよう構成されていて良い。
【００２１】
前記反作用部材が、前記細長い部材と係合する為の反作用表面を有していて良い。前記反作用表面は前記クランプ部材の前記係合手段よりも滑らかであって良く、それにより、前記クランプ部材が前記解放位置にある時に、前記細長い部材の前述した調整を許容する。
【００２２】
この発明のもう１つの概念に従えば、細長い部材を締め付ける為のクランプ装置が設けられていて、前記クランプ装置は、前記細長い部材を受け入れる為の通路を規定しているハウジングと、前記通路中に前記細長い部材を締め付けるよう前記ハウジング中に配置されている前述されている如きクランプ部材と、そして、前記クランプ部材を前記通路に向かい付勢する為の付勢手段と、を備えており、ここにおいては、前記クランプ装置が、前記クランプ部材が前記細長い部材を締め付ける為に前記通路に向かい付勢された時に前記通路中に受け入れられている前記細長い部材に対し反作用を提供するよう前記ハウジングに対し固定されている反作用部材を含む。
【００２３】
前記通路は、互いに対向して配置されているとともに互いに向かい角度が付けられている、反作用部材及び反作用要素により規定されていて良い。前記反作用部材は壁を備えていて良い。前記反作用要素は第２の壁を備えていて良い。
【００２４】
前記クランプ装置は、夫々の中に細長い部材が受け入れられることが出来る１対の通路を規定していて良い。前記個々の通路中に受け入れられている前記細長い部材は、異なった細長い部材であって良く、又は、同じ細長い部材の異なった領域であって良い。
【００２５】
前記クランプ装置は、夫々が前記通路の夫々の１つに対応されている１対のクランプ部材を備えて良い。前記クランプ装置は１対の付勢手段を備えて良く、前記付勢手段の夫々は、前記クランプ部材の夫々の１つをそれが対応されている前記通路に向かい付勢するよう配置されている。
【００２６】
一つの実施形態においては、前記クランプ装置が個々の通路に対応している単一の反作用部材を有して良い。前記反作用部材は、２つの表面を有していて良く、そして、個々の表面が個々の通路内における夫々の細長い部材に対し反作用を提供して良い。
【００２７】
もう一つの実施形態においては、前記クランプ装置が、夫々が前記通路の夫々の１つに対応している２つの反作用部材を有して良い。個々の反作用部材は、個々の壁を備えて良い。個々の反作用要素は、個々の第２の壁を備えて良い。これ等の、即ち個々の、壁は、前記ハウジングの部位であって良い。
【図面の簡単な説明】
【００２８】
この発明の一実施形態が、添付の図面を参照して例示としてのみこれから記載される。
【図１】図１は、クランプ部材の側面図。
【図２】図２は、図１中に示されているクランプ部材を組み込んだクランプ装置の一部位の概略図。
【図３】図３は、細長い部材と係合している図１中に示されているクランプ部材の側面図。
【図４】図４は、細長い部材の概略図。
【図５】図５は、クランプ装置の実施形態の断面図。
【発明を実施するための形態】
【００２９】
クランプ構造１００の一部位として使用される為のクランプ部材１０が、図１中に示されている。クランプ部材１０は本体１２及び本体１２上の係合手段を備えていて、前記係合手段は係合表面１４の形状である。クランプ部材１０は大略的には細い前領域１０Ａ及び幅広の後領域１０Ｂを有している細長い楔の形状である。
【００３０】
図２は、クランプ部材１０、クランプ装置１８、そしてワイヤ（wire），ケーブル（cable），ロープ（rope），それ等と同様なものの形状をしている細長い部材２０を備えているクランプ構造１００を示している。図２中には、クランプ部材１０が、クランプ装置１８中で細長い部材２０を締め付けて示されている。図２中には示されていないが、細長い部材２０は複数のストランド（strand）２２Ａ，２２Ｂ，２２Ｃ，２２Ｄ，２２Ｅ，そして２２Ｆで形成されている。これ等のストランド（strand）２２Ａ乃至２２Ｆは図３中により明確に示されていて、そして以下に詳述される。
【００３１】
クランプ装置１８の一部位が図２中に概略的に、そして図５中により詳細に、示されている。クランプ装置１８は、細長い部材２０及びクランプ部材１０受け入れる為の通路（passage）２６を規定している。通路２６は、それを通って細長い部材が延出する物体受け入れ溝（channel）２８、及び、その中にクランプ部材１０が保持されている空間３０を有する。
【００３２】
前記通路は、第１壁３２の形状をしている固定されている反作用（reaction）部材と、第１壁３２に対し鋭角で角度決めされている第２壁の形状をしている固定されている反作用要素と、の間に規定されている。図２は、使用中のクランプ装置を示していて、そして、細長い部材２０が物体受け入れ溝２８中に受け入れられているとともに第１壁３２と係合していることを見ることが出来る。クランプ装置１０は、細長い部材２０と第２壁３４との間の空間中に設けられている。
【００３３】
圧縮ばね３６の形状をしている付勢手段が、クランプ部材１０を、クランプ部材が細長い部材２０から係合解除されている解放位置からクランプ部材１０が細長い部材２０を第１壁３２に対し締め付けているクランプ位置へと矢印Ｚにより指摘されている方向に付勢している。
【００３４】
角度が付けられている第２壁３４はクランプ部材を細長い部材２０上に付勢し、その結果としてクランプ力が細長い部材２０上に適用されている。クランプ部材１０の係合表面１４は細長い部材２０と係合し、そして、細長い部材２０は第１壁３２とクランプ部材１０との間で締め付けられる、第１壁３２は、クランプ部材１０により細長い部材２０上に適用された締め付け力に対する反作用を提供するよう働く。
【００３５】
係合表面１４は、複数の鋸刃状切り込み３８の形状をした噛み合い形態（gripping formation）を有している。鋸刃状切り込み３８は、係合表面１４の長さに沿って次々と延出しており、そして個々の鋸刃状切り込み３８は係合表面１４を側方に横断して延出している。鋸刃状切り込み３８は、滑らかな係合表面１４に比較してクランプ部材１０と細長い部材２０との間に強化された噛み合い提供する。
【００３６】
鋸刃状切り込み３８に加えて、係合表面１４はまた、クランプ部材１０の後領域１０Ｂに２つの予備的な係合突起４０を有している。予備的な係合突起４０は、細長い部材２０が鋸刃状切り込み３８により係合される以前にそれが滑ってしまうことを阻止するよう、細長い部材２０上に手がかりを提供する為に、鋸刃状切り込み３８以前に細長い部材２０と係合するよう設けられている。
【００３７】
第１壁３２に対する細長い部材２０の締め付けの間にクランプ部材１０は細長い部材２０とともに移動することが望ましい。第１壁上への細長い部材の締め付けの間に細長い部材２０がクランプ装置１０に対し移動することが出来る。
【００３８】
クランプ部材１０が細長い部材２０とともに移動することを確実にする為に、係合表面１４には鋸刃状切り込み３８の形状をした前述した噛み合い形態（gripping formation）が設けられている。細長い部材２０がクランプ装置１８に対し移動できることを確実にする為に、第１壁３２は、細長い部材２０がクランプ部材１０によりそれに対し締め付けられるまで、細長い部材２０が第１壁３２上で摺動することを許容するよう滑らかに作成されている。
【００３９】
図２中に示されている細長い部材は、図３中により明確に示されていてこれから記載される細長い部材の単純化されている表現である。
【００４０】
細長い部材２０は、６つのストランド（strand）２２Ａ，２２Ｂ，２２Ｃ，２２Ｄ，２２Ｅ，そして２２Ｆを備える。ストランド（strand）２２Ａ乃至２２Ｆは、個々のストランド２２Ａ乃至２２Ｆの複数の旋回（turn）において互いの回りに螺旋状に巻かれている。ストランド２２Ａ乃至２２Ｆの夫々は、ピッチＰを有している。細長い部材２０は、長手方向主中心線ＸＸを有する。ピッチＰは、ストランド２２Ａ乃至２２Ｆの一つの一つの完全な旋回（turn）の細長い部材２０の主中心線ＸＸに沿った距離である。図３中には、ストランド２２Ａのピッチが示されているが、個々の他のストランド２２Ｂ乃至２２Ｆのピッチが同じであることが好ましい。
【００４１】
クランプ部材１０は、前領域１０Ａから後領域１０Ｂまで延出している延出している長さＬ１を有している。係合表面は長さＬ２を有していて、それはクランプ部材１０の長さＬ１の略３／５と略３／４との間である。
【００４２】
クランプ部材１０の前領域１０Ａは、前端領域１０Ａから係合表面まで凸状に湾曲している湾曲された導入表面１０Ｃを有している。湾曲された導入表面１０Ｃは、細長い部材２０との係合において通路２６に沿ったクランプ部材１０の移動を容易にする。湾曲された導入表面１０Ｃは、クランプ部材１０の長さＬ１の略１／４と略１／３との間を延出している。
【００４３】
係合表面１４の長さＬ２もまた図３中に示されていて、見ることが出来るように、係合表面１４の全長さがストランド２２Ａ乃至２２Ｆの夫々に係合する。これは、使用時において、長さＬ２の係合表面１４を有しているクランプ部材１０が、夫々がピッチＰを有している６つのストランド２２Ａ乃至２２Ｆで形成されている細長い部材２０を締め付けるのに使用された時、ストランド２２Ａ乃至２２Ｆの夫々は、クランプ部材１０により、そして、第１壁３２により、係合される。
【００４４】
すべての６つのストランド２２Ａ乃至２２Ｆと係合する代わりに、クランプ部材１０はストランドの３つ、例えば２２Ａ乃至２２Ｃ、のみと係合することが出来る。このような構造であると、残りのストランド２２Ｄ乃至２２Ｆは、係合表面１４とのストランド２２Ａ乃至２２Ｃの係合の地点とは正反対の地点で第１壁３２と係合する。
【００４５】
従って、係合表面１４が３つのストランド２２Ａ，２２Ｂ，そして２２Ｃと係合し、そして、締め付け力をストランド２２Ａ，２２Ｂ，そして２２Ｃに対し適用した時、クランプ表面１４と一直線状に整列されている第１壁３２の領域が他の３つのストランド２２Ｄ乃至２２Ｆと係合し、そして第１壁３２がストランド２２Ｄ，２２Ｅ，２２Ｆの夫々に対し反力を負荷する。
【００４６】
ストランド２２Ａ乃至２２Ｆの構造が図４中により明確に示されていて、それは細長い部材２０の概略的な表示である。ストランド２２Ａ乃至２２Ｆの夫々は、他のストランドから部分的に離れて示されていて、その結果としてそれらはより明確に見られることが出来る。クランプ部材１０の係合表面１４が３つのストランド２２Ａ，２２Ｂ，そして２２Ｃに沿い延出している場合、壁３２が他の３つのストランド２２Ｄ，２２Ｅ，そして２２Ｆと係合する。破線Ａ−Ｄ，Ｂ−Ｅ，そしてＣ−Ｆは、互いに正反対であって、そして従ってクランプ部材１０又は係合表面１４と一直線状に整列されている第１壁３２の領域の何れかにより係合されている、個々のストランド２２Ａ及び２２Ｄ，２２Ｂ及び２２Ｅ，２２Ｃ及び２２Ｆ上の地点を示している。
【００４７】
従って、ストランド２２Ａ乃至２２Ｆの３つを横切って延出する係合表面１４を伴っているクランプ部材１０の使用により、ストランドの全てが第１壁３２に対しクランプ部材１０により締め付けられる。
【００４８】
図５は、上に記載されたクランプ構造１００の構成を備えているクランプ構造１００の一例を示している。図５中に示されている構成は、図１乃至図４中に示されている対応している構成と同じ参照番号を有する。図５中に示されているクランプ装置１２はまた、クランプ部材１０を細長い部材２０から解放する為の解放部材を含む。
【００４９】
図５中に示されている実施形態においては、前記解放部材が、クランプ部材１０の後領域１０Ｂにねじ固定されたねじ５０を備えている。クランプ部材１０は、ねじ５０を矢印Ｙにより指摘されている方向に引くことにより、その解放位置へと移動されることが出来る。
【００５０】
図５中に示されているクランプ装置１８の実施形態は、クランプ装置１０をさらなる物体（示されていない）に固定する為の固定構造５２を有する。個々の固定構造５２は、開口５６を規定している翼部材５４を備える。個々の翼部材５４は、その正反対の側でハウジング２４から外方に延出している。ボルトの如き固定部材が、クランプ装置１８を前記物体に固定する為に、個々の開口５６を通して受け入れられることが出来る。
【００５１】
多数のストランドの細長い部材２０のストランドの全てがクランプ装置により締め付けられることが出来るような長さである係合表面１４を有しているクランプ部材１０が、従って記載されている。従来のクランプ装置よりもよりしっかりと細長い部材を締め付けることが出来、そして、細長い部材２０を通してこのような締め付けが無くされてしまう危険性を減少させる、クランプ構造及びクランプ装置１８もまた記載されている。
【００５２】
この発明の範囲から離れることなく種々の変形が作られることが出来る。
【図１】
2013537289.tif 000003
【図２】
2013537289.tif 000004
【図３】
2013537289.tif 000005
【図４】
2013537289.tif 000006
【図５】
2013537289.tif 000007
【手続補正書】
【提出日】平成25年5月22日(2013.5.22)
【手続補正１】
【補正対象書類名】特許請求の範囲
【補正対象項目名】全文
【補正方法】変更
【補正の内容】
【特許請求の範囲】
【請求項１】
個々のストランドの複数の旋回が互いの回りに巻かれていて夫々のストランドが互いに他のストランドのピッチと同じピッチを有している複数のストランドを有している細長い部材と；
前記細長い部材を締め付ける為のクランプ部材を備えているクランプ装置と、を備えており、前記クランプ部材が前記細長い部材と係合する為の噛み合い形態を伴っている係合手段を有していて、前記係合手段が前記細長い部材を形成している前記ストランドの全部の数の半分又はそれ以上と係合するよう構成されており、
ここにおいては前記係合手段が、前記ストランドの前記ピッチの６７％又はそれ以上と等しい長さを有していて、
前記クランプ装置が、第１壁を備えている反作用部材及び第２壁を備えている反作用要素をさらに含んでおり、前記第１壁及び第２壁が前記クランプ部材の為の通路を規定するよう互いに対向して配置されていて、そして前記クランプ装置がさらに、前記クランプ部材を前記通路に沿い前記反作用部材に向かい付勢する為の付勢手段を含んでいて；
ここにおいて前記第１壁は前記係合手段よりも滑らかであり；
そして、ここにおいては、前記細長い部材が前記クランプ部材と前記第１壁との間に受け入れられた時に、前記第１壁が前記細長い部材に係合するとともに前記細長い部材に対し反作用を提供し、そして前記第２壁が前記クランプ部材を前記細長い部材上に付勢し、その結果として締め付け力が前記細長い部材上に適用される、クランプ構造。
【請求項２】
個々のストランドが螺旋の形状である、請求項１に従っているクランプ構造。
【請求項３】
前記クランプ部材が本体を有していて、そして、前記係合手段が前記本体の上に設けられている、請求項１又は２に従っているクランプ構造。
【請求項４】
前記係合手段が、前記細長い部材を形成しているストランドの全部の数の２／３又はそれ以上と係合するよう構成されている、請求項１乃至３の何れか１項に従っているクランプ構造。
【請求項５】
前記係合手段が、前記細長い部材を形成しているストランドの全部の数の少なくとも３／４と係合するよう構成されている、請求項１乃至４の何れか１項に従っているクランプ構造。
【請求項６】
前記係合手段が、前記細長い部材のストランドの全部と係合するよう構成されている、請求項１乃至５の何れか１項に従っているクランプ構造。
【請求項７】
前記係合手段の前記長さが、前記ストランドの前記ピッチの７５％又はそれ以上と実質的に等しい、請求項１乃至６の何れか１項に従っているクランプ構造。
【請求項８】
前記係合手段の前記長さが、前記ストランドの前記ピッチの１００％又はそれ以上と実質的に等しい、請求項１乃至７の何れか１項に従っているクランプ構造。
【請求項９】
前記細長い部材が前記クランプ部材と前記反作用部材との間に締め付けられた時に、前記細長い部材の個々のストランドが前記クランプ部材及び前記反作用部材の一方又は両方により係合されている、請求項１乃至８の何れか１項に従っているクランプ構造。
【請求項１０】
前記クランプ部材が細長く、前領域及び後領域を備えていて、前記クランプ部材が前記細長い部材との係合に付勢された時に前記前領域が前記後領域を導き、そして、前記前領域が前記後領域よりも薄い、請求項１乃至９の何れか１項に従っているクランプ構造。
【請求項１１】
前記クランプ部材が、前記細長い部材に最初に係合するよう前記後領域に予備的な係合突起を含む、請求項１０に従っているクランプ構造。
【請求項１２】
前記クランプ部材の前記前領域が、前記細長い部材との前記係合手段の係合を容易にするよう凸状に湾曲されていて、前記湾曲が前記前領域から前記係合手段まで延出している、請求項１１に従っているクランプ構造。
【請求項１３】
前記前領域の前記湾曲が、前記クランプ部材の長さの略１／４と略１／３との間で延出している、請求項１２に従っているクランプ構造。
【請求項１４】
前記予備的な係合突起が、前記係合手段上の歯を備えている、請求項１１，１２，又は１３に従っているクランプ構造。
【請求項１５】
前記クランプ部材が複数の前記予備的な係合突起を備えていて、個々の予備的な係合突起が個々の歯を備えている、請求項１１乃至１４の何れか１項に従っているクランプ構造。
【請求項１６】
前記係合手段が、前記クランプ部材の長さの略３／５と略３／４との間である係合長さを有している、請求項１乃至１５の何れか１項に従っているクランプ構造。
【請求項１７】
前記クランプ部材がクランプ位置と解放位置との間で移動可能であり、前記係合手段は前記クランプ部材が前記クランプ位置にある時に前記細長い部材と噛み合うよう構成されていて、そして、前記反作用部材は前記クランプ部材が前記解放位置にある時にそれに対する前記細長い部材の位置の調整を許容するよう構成されている、請求項１乃至１６の何れか１項に従っているクランプ構造。
【請求項１８】
前記噛み合い形状が、鋸刃状切り込みを備えていて、個々の鋸刃状切り込みが前記係合手段を横切って延出している、請求項１乃至１７の何れか１項に従っているクランプ構造。
【請求項１９】
前記係合手段が係合表面を備えている、請求項１乃至１８の何れか１項に従っているクランプ構造。
【請求項２０】
前記クランプ部材が楔の形状をしている、請求項１乃至１９の何れか１項に従っているクランプ構造。
【請求項２１】
前記クランプ装置が、前記通路を規定しているハウジングを備えており、前記クランプ部材が前記ハウジング中に配置されている、請求項１乃至２０の何れか１項に従っているクランプ構造。
【請求項２２】
前記反作用部材が、前記クランプ部材が前記細長い部材を締め付ける為に前記通路に沿い付勢された時に、前記通路中に受け入れられている前記細長い部材に対し前記反作用を提供するよう前記ハウジングに対し固定されている、請求項２１に従っているクランプ構造。
【請求項２３】
前記反作用部材及び前記反作用要素が、互いに対向して配置されているとともに互いに向かい角度が付けられている、請求項２１又は２２に従っているクランプ構造。
【請求項２４】
個々の前記壁が前記ハウジングの部位である、請求項２３に従っているクランプ構造。
【請求項２５】
前記クランプ装置が、夫々の中に前記細長い部材の夫々の領域が受け入れられることが出来る１対の通路を規定している、請求項２１乃至２４の何れか１項に従っているクランプ構造。
【請求項２６】
２つの細長い部材を備えていて、前記クランプ装置が、夫々の中に前記細長い部材の夫々の１つを受け入れることが出来る１対の通路を規定している、請求項２１乃至２４の何れか１項に従っているクランプ構造。
【請求項２７】
前記クランプ装置が、夫々が前記通路の夫々の１つに対応されている１対のクランプ部材を備えており、そして、前記クランプ装置がさらに１対の付勢手段を含んでいて、前記付勢手段の夫々が、前記クランプ部材の夫々の１つをそれが対応されている前記通路に向かい付勢するよう配置されている、請求項２１乃至２６の何れか１項に従っているクランプ構造。
【請求項２８】
前記クランプ装置が両方の通路に対応している単一の反作用部材を備えていて、前記反作用部材が２つの表面を有していて、そして、個々の表面が個々の通路内における夫々の細長い部材に対し反作用を提供している、請求項２１乃至２７の何れか１項に従っているクランプ構造。
【請求項２９】
前記クランプ装置が、夫々が前記通路の夫々の１つに対応している２つの反作用部材を備えている、請求項２１乃至２８の何れか１項に従っているクランプ構造。
【手続補正２】
【補正対象書類名】明細書
【補正対象項目名】００５２
【補正方法】変更
【補正の内容】
【００５２】
この発明の範囲から離れることなく種々の変形が作られることが出来る。
なお、本願の明細書には以下の発明が記載されている。
［１］．
個々のストランドの複数の旋回が互いの回りに巻かれている複数のストランドを有している細長い部材と、前記細長い部材を締め付ける為のクランプ部材を備えているとともにさらに反作用部材を含んでいるクランプ装置と、そして、前記クランプ部材を前記反作用部材に向かい付勢する付勢手段と、を備えており、前記クランプ部材が前記細長い部材と係合する為の係合手段を有していて、前記係合手段が前記細長い部材を形成している前記ストランドの全部の数の半分又はそれ以上と係合するよう構成されており、そして、ここにおいては、前記細長い部材が前記クランプ部材と前記反作用部材との間に受け入れられた時に、前記反作用部材が、前記クランプ装置中に前記細長い部材を締め付けるよう前記細長い部材に対し反作用を提供する、クランプ構造。
［２］．
個々のストランドが互いに実質的に同じピッチを有していて、そして、個々のストランドが螺旋の形状である、前記［１］．に従っているクランプ構造。
［３］．
前記クランプ部材が本体を有していて、そして、前記係合手段が前記本体の上に設けられている、前記［１］．又は前記［２］．に従っているクランプ構造。
［４］．
前記係合手段が、前記細長い部材を形成しているストランドの全部の数の２／３又はそれ以上と係合するよう構成されている、前記［１］．乃至前記［３］．の何れか１つに従っているクランプ構造。
［５］．
前記係合手段が、前記細長い部材を形成しているストランドの全部の数の少なくとも３／４と係合するよう構成されている、前記［１］．乃至前記［４］．の何れか１つに従っているクランプ構造。
［６］．
前記係合手段が、前記細長い部材のストランドの全部と係合するよう構成されている、前記［１］．乃至前記［５］．の何れか１つに従っているクランプ構造。
［７］．
前記係合手段が、前記細長い部材中の前記ストランドのピッチの５０％又はそれ以上と実質的に等しい長さを有していて、前記係合手段が、前記係合手段が前記細長い部材に沿い長手方向に延出するよう、前記細長い部材と係合するよう構成されている、前記［１］．乃至前記［６］．の何れか１つに従っているクランプ構造。
［８］．
前記係合手段の前記長さが、前記ストランドの前記ピッチの６７％又はそれ以上と実質的に等しい、前記［８］．に従っているクランプ構造。
［９］．
前記係合手段の前記長さが、前記ストランドの前記ピッチの７５％又はそれ以上と実質的に等しい、前記［８］．又は前記［９］．に従っているクランプ構造。
［１０］．
前記係合手段の前記長さが、前記ストランドの前記ピッチの１００％又はそれ以上と実質的に等しい、前記［１］．乃至前記［９］．の何れか１つに従っているクランプ構造。
［１１］．
前記細長い部材が前記クランプ部材と前記反作用部材との間に締め付けられた時に、前記細長い部材の個々のストランドが前記クランプ部材及び前記反作用部材の一方又は両方により係合されている、前記［１］．乃至前記［１０］．の何れか１つに従っているクランプ構造。
［１２］．
前記クランプ部材が細長く、前領域及び後領域を備えていて、前記クランプ部材が前記細長い部材との係合に付勢された時に前記前領域が前記後領域を導き、そして、前記前領域が前記後領域よりも薄い、前記［１］．乃至前記［１１］．の何れか１つに従っているクランプ構造。
［１３］．
前記クランプ部材が、前記細長い部材に最初に係合するよう前記後領域に予備的な係合突起を含む、前記［１２］．に従っているクランプ構造。
［１４］．
前記クランプ部材の前記前領域が、前記細長い部材との前記係合手段の係合を容易にするよう凸状に湾曲されていて、前記湾曲が前記前領域から前記係合手段まで延出している、前記［１２］．又は前記［１３］．に従っているクランプ構造。
［１５］．
前記前領域の前記湾曲が、前記クランプ部材の長さの略１／４と略１／３との間で延出している、前記［１４］．に従っているクランプ構造。
［１６］．
前記予備的な係合突起が、前記係合手段上の歯を備えている、前記［１２］．，前記［１３］．，又は前記［１４］．に従っているクランプ構造。
［１７］．
前記クランプ部材が複数の前記予備的な係合突起を備えていて、個々の予備的な係合突起が個々の歯を備えている、前記［１２］．乃至前記［１５］．の何れか１つに従っているクランプ構造。
［１８］．
前記係合手段が、前記クランプ部材の長さの略３／５と略３／４との間である係合長さを有している、前記［１］．乃至前記［１７］．の何れか１つに従っているクランプ構造。
［１９］．
前記クランプ部材がクランプ位置と解放位置との間で移動可能であり、前記係合手段は前記クランプ部材が前記クランプ位置にある時に前記細長い部材と噛み合うよう構成されていて、そして、前記反作用部材は前記クランプ部材が前記解放位置にある時にそれに対する前記細長い部材の位置の調整を許容するよう構成されている、前記［１］．乃至前記［１８］．の何れか１つに従っているクランプ構造。
［２０］．
前記反作用部材が前記細長い部材と係合する為の反作用表面を有していて、前記反作用表面は前記クランプ部材の前記係合手段よりも滑らかであって、それにより、前記クランプ部材が前記解放位置にある時に前記細長い部材の前述した調整を許容する、前記［１９］．に従っているクランプ構造。
［２１］．
前記係合手段が複数の噛み合い形状を有している、前記［１］．乃至前記［２０］．の何れか１つに従っているクランプ構造。
［２２］．
前記噛み合い形状が、鋸刃状切り込みを備えていて、個々の鋸刃状切り込みが前記係合手段を横切って延出している、前記［２１］．に従っているクランプ構造。
［２３］．
前記係合手段が係合表面を備えている、前記［１］．乃至前記［２２］．の何れか１つに従っているクランプ構造。
［２４］．
前記クランプ部材が楔の形状をしている、前記［１］．乃至前記［２３］．の何れか１つに従っているクランプ構造。
［２５］．
前記クランプ装置が、前記細長い部材を受け入れる為の通路を規定しているハウジングを備えており、前記クランプ部材が前記ハウジング中に配置されている、前記［１］．乃至前記［２４］．の何れか１つに従っているクランプ構造。
［２６］．
前記反作用部材が、前記クランプ部材が前記細長い部材を締め付ける為に前記通路に向かい付勢された時に、前記通路中に受け入れられている前記細長い部材に対し反作用を提供するよう前記ハウジングに対し固定されている、前記［２５］．に従っているクランプ構造。
［２７］．
前記通路が、互いに対向して配置されているとともに互いに向かい角度が付けられている、前記反作用部材及び反作用要素により規定されている、前記［２５］．又は前記［２６］．に従っているクランプ構造。
［２８］．
前記反作用部材及び前記反作用要素が夫々壁を備えている、前記［２７］．に従っているクランプ構造。
［２９］．
個々の前記壁が前記ハウジングの部位である、前記［２７］．又は前記［２８］．に従っているクランプ構造。
［３０］．
前記クランプ装置が、夫々の中に前記細長い部材の夫々の領域が受け入れられることが出来る１対の通路を規定している、前記［２５］．乃至前記［２９］．の何れか１つに従っているクランプ構造。
［３１］．
２つの細長い部材を備えていて、前記クランプ装置が、夫々の中に前記細長い部材の夫々の１つを受け入れることが出来る１対の通路を規定している、前記［２５］．乃至前記［２９］．の何れか１つに従っているクランプ構造。
［３２］．
前記クランプ装置が、夫々が前記通路の夫々の１つに対応されている１対のクランプ部材を備えており、そして、前記クランプ装置がさらに１対の付勢手段を含んでいて、前記付勢手段の夫々が、前記クランプ部材の夫々の１つをそれが対応されている前記通路に向かい付勢するよう配置されている、前記［２５］．乃至前記［３１］．の何れか１つに従っているクランプ構造。
［３３］．
前記クランプ装置が両方の通路に対応している単一の反作用部材を備えていて、前記反作用部材が２つの表面を有していて、そして、個々の表面が個々の通路内における夫々の細長い部材に対し反作用を提供している、前記［２５］．乃至前記［３２］．の何れか１つに従っているクランプ構造。
［３４］．
前記クランプ装置が、夫々が前記通路の夫々の１つに対応している２つの反作用部材を備えている、前記［２５］．乃至前記［３２］．の何れか１つに従っているクランプ構造。
【国際調査報告】
2013537289.tif 000008
2013537289.tif 000009